(57)【要約】【課題】アンテナの小型化及び受信感度の向上を両立させることのできる集磁シート取付構造及び電波腕時計を提供する。【解決手段】文字板８を被覆する時計ガラス４と、文字板８より下方に配置されているハウジング３と、アンテナ構造体２０とを備える電波受信装置１において、アンテナ構造体２０は、ハウジング３内の回路基板ＫＫ側に配置されているコア本体部２１の両端部から立設されて時計ガラス４に向かって起立しハウジングの上面側に延びた連結部２２と、ハウジングの上面側において外部からの磁束を集めてこれを巻線部２６に導く集磁部２３とを一体に形成している。【選択図】図２
2010066044.tif 000002
【特許請求の範囲】
【請求項１】
表示部材と、この表示部材の上方に位置し該表示部材を被覆する非導電性カバー部材と、前記表示部材より下方に配置されている電子部品収納部材と、アンテナ構造体と、を備えてなる電波受信装置において、
前記アンテナ構造体は、
コイル、および、このコイルが巻回されている基台部を備え、前記電子部品収納部材内の回路基板側に配置されているコア本体部と、
このコア本体部の両端部に立設され前記非導電性カバー部材に向かって起立し前記電子部品収納部材の上面側に延びた連結部と、
前記電子部品収納部材の上面側において外部からの磁束を集めてこれを前記巻線部に導く集磁部とを備え、
前記基台部、前記連結部及び前記集磁部は、一体に形成されていることを特徴とする電波受信装置。
【請求項２】
前記基台部、前記連結部及び前記集磁部は、磁性材料からなる磁性粉と樹脂とを混合した材料で形成されていることを特徴とする請求項１に記載の電波受信装置。
【請求項３】
前記電子部品収納部材の非導電性カバー部材と対向する面上には、板状の押え部材が配置されており、前記集磁部の全部又は一部は、前記電子部品収納部材における前記押え部材が配置されているのと同一の面上に配置されていることを特徴とする請求項１又は請求項２に記載の電波受信装置。
【請求項４】
前記表示部材において非導電性カバー部材と対向する面と反対の面に凹部が形成され、前記集磁部の全部又は一部は、この凹部に配置されていることを特徴とする請求項１又は請求項２に記載の電波受信装置。
【請求項５】
前記表示部材の一部に前記集磁部を収納する貫通孔が形成され、前記集磁部は、前記貫通孔から前記非導電性カバー部材に対して露出しており、前記非導電性カバー部材と前記表示部材との間には、露出した前記集磁部を遮蔽する遮蔽部材が設けられていることを特徴とする請求項１又は請求項２に記載の電波受信装置。
【請求項６】
前記遮蔽部材は、前記非導電性カバー部材と前記表示部材との間に前記表示部材の周縁に沿って配置された見切り部材であり、
前記集磁部は、前記表示部材の貫通孔に収納されて前記見切り部材の裏面位置に配置されていることを特徴とする請求項５に記載の電波受信装置。
【請求項７】
前記集磁部は、前記表示部材の貫通孔を貫通して前記非導電性カバー部材の裏面位置に配置されており、
前記遮蔽部材は、前記非導電性カバー部材における前記表示部材と対向する面であって前記集磁部に対応する位置に設けられた集磁遮蔽部であることを特徴とする請求項５に記載の電波受信装置。
【発明の詳細な説明】
【技術分野】
【０００１】
本発明は、電波受信装置に関する。
【背景技術】
【０００２】
従来、時刻情報を含む標準電波を受信して自動的に現在時刻を修正する電波時計等の電子機器が知られている。そして、例えば電波時計において標準電波を受信するアンテナとしては、受信感度のよい磁性材料であるアモルファス金属やフェライト等からなるコアにコイルが巻回されてなるアンテナ構造体が多く用いられている。
【０００３】
しかし、電波は金属を透過しないため、腕時計等において、機器ケース、裏蓋部材等を金属で形成した場合には、電子機器に内蔵されたアンテナが十分に電波を受信することができない。
【０００４】
そこで、従来、文字板等の装飾板を、電波が透過する材料で形成するとともに、コアの端部に電波を受信する膨出部を設け、装飾板側から効率的に電波を受信することで受信感度を向上させる技術が開発されている（例えば、特許文献１参照）。
【特許文献１】特開２００６−３３３１８３号公報
【発明の開示】
【発明が解決しようとする課題】
【０００５】
しかしながら、特に、女性用の腕時計型の電波時計等、小型の電波時計の場合には、限られた小さな内容積に各種部品を収納する必要があるため、できるだけ小型化・薄型化を図る必要がある。このためアンテナ長を長くする等によりコアの両端部の受信面積を十分に確保することが困難である。
【０００６】
そこで、コアとは別個に外部からの磁束を集める集磁部材を設け、この集磁部材を磁性材料で形成された磁性部材を介してコアの両端部に接触させ、実質的にコアの両端部の受信面積を大きくすることが考えられる。
しかし、このような構成とした場合には、組み立て工数が多くなって生産性が低下するとの不都合があり、また、部品点数が増加するため、部品管理上も好ましくない。
【０００７】
本発明は以上のような事情に鑑みてなされたものであり、アンテナの小型化及び受信感度の向上を簡易な構成で実現することのできる電波受信装置を提供することを目的とする。
【課題を解決するための手段】
【０００８】
このような問題を解決するため、請求項１に記載の発明は、電波受信装置において、
表示部材と、この表示部材の上方に位置し該表示部材を被覆する非導電性カバー部材と、前記表示部材より下方に配置されている電子部品収納部材と、アンテナ構造体と、を備えてなる電波受信装置において、
前記アンテナ構造体は、
コイル、および、このコイルが巻回されている基台部を備え、前記電子部品収納部材内の回路基板側に配置されているコア本体部と、
このコア本体部の両端部に立設され前記非導電性カバー部材に向かって起立し前記電子部品収納部材の上面側に延びた連結部と、
前記電子部品収納部材の上面側において外部からの磁束を集めてこれを前記巻線部に導く集磁部とを備え、
前記基台部、前記連結部及び前記集磁部は、一体に形成されていることを特徴としている。
【０００９】
請求項２に記載の発明は、請求項１に記載の電波受信装置において、
前記基台部、前記連結部及び前記集磁部は、磁性材料からなる磁性粉と樹脂とを混合した材料で形成されていることを特徴としている。
【００１０】
請求項３に記載の発明は、請求項１又は請求項２に記載の電波受信装置において、
前記電子部品収納部材の非導電性カバー部材と対向する面上には、板状の押え部材が配置されており、前記集磁部の全部又は一部は、前記電子部品収納部材における前記押え部材が配置されているのと同一の面上に配置されていることを特徴としている。
【００１１】
請求項４に記載の発明は、請求項１又は請求項２に記載の電波受信装置において
前記表示部材において非導電性カバー部材と対向する面と反対の面に凹部が形成され、前記集磁部の全部又は一部は、この凹部に配置されていることを特徴としている。
【００１２】
請求項５に記載の発明は、請求項１又は請求項２に記載の電波受信装置において、
前記表示部材の一部に前記集磁部を収納する貫通孔が形成され、前記集磁部は、前記貫通孔から前記非導電性カバー部材に対して露出しており、前記非導電性カバー部材と前記表示部材との間には、露出した前記集磁部を遮蔽する遮蔽部材が設けられていることを特徴としている。
【００１３】
請求項６に記載の発明は、請求項５に記載の電波受信装置において、
前記遮蔽部材は、前記非導電性カバー部材と前記表示部材との間に前記表示部材の周縁に沿って配置された見切り部材であり、
前記集磁部は、前記表示部材の貫通孔に収納されて前記見切り部材の裏面位置に配置されていることを特徴としている。
【００１４】
請求項７に記載の発明は、請求項５に記載の電波受信装置において、
前記集磁部は、前記表示部材の貫通孔を貫通して前記非導電性カバー部材の裏面位置に配置されており、
前記遮蔽部材は、前記非導電性カバー部材における前記表示部材と対向する面であって前記集磁部に対応する位置に設けられた集磁遮蔽部であることを特徴としている。
【発明の効果】
【００１５】
本発明によれば、集磁部の分だけアンテナ構造体のアンテナ長を伸ばすことができるので、アンテナ構造体を狭いスペースに収めなければならない場合のように、コア本体部を大きくすることができない場合でも、効率的に電波を捕らえることができ、モジュールサイズの小型化を実現しつつ、受信感度の向上を図ることができる。
そして、集磁部はコア本体部を構成する基台部と一体的に形成されているので、部品点数が少なくて済み、組み立ての際の手間も軽減することができるとの効果を奏する。
【発明を実施するための最良の形態】
【００１６】
以下、図面を参照して、本発明の好適な実施形態について説明する。なお、以下では、本発明に係る電波受信装置を、腕時計型の電波時計に適用した場合について説明するが、本発明を適用可能な実施形態がこれに限定されるものではない。
【００１７】
［第１の実施形態］
先ず、図１から図６を参照しつつ、本発明にかかる電波受信装置及びこれを備える電波腕時計の第１の実施形態について説明する。
【００１８】
図１は、本実施形態における電波受信装置を備える電波腕時計１００の正面図であり、図２は、図１におけるII−II線断面図である。
電波腕時計１００は、標準電波を受信するアンテナ構造体２０を備え、このアンテナ構造体２０により受信した標準電波を増幅変調してタイムコードを解読することにより現在時刻を修正する電波腕時計である。本実施形態における電波受信装置１は、後述するモジュールハウジング（ハウジング）３、時計ガラス４、文字板８及びアンテナ構造体２０を備えて構成されている。
【００１９】
第１の実施形態における電波腕時計１００は、内部に図示しない時計モジュールを構成する各部品を収納するモジュールハウジング（図２から図５参照。以下単に「ハウジング」と称する。）３と、ハウジング３が収納された時計ケース２とを備えている。
【００２０】
時計ケース２は、ステンレスやチタン等の強度の強い金属によって、上下面に開口した平面視ほぼ円環状に形成されている。
この時計ケース２の視認側には、視認側の開口部を閉塞するように時計ガラス４が装着されている。本実施形態において、時計ガラス４は、後述する文字板８を被覆する非導電性カバー部材である。
また、時計ケース２の裏面側（視認側に対向する側）には、裏蓋５が、裏面側の開口部を閉塞するように防水リング６を介して取り付けられている。
【００２１】
また、時計ケース２の図１における上下両端部、つまり当該電波腕時計１００における１２時方向側端部及び６時方向側端部には、電波腕時計１００をユーザの腕に装着するための時計バンド７が取り付けられている。また、時計ケース２の外周部には、時刻合わせの指示などの種々の操作指示が入力される複数の操作ボタンｆ１が設けられている。
【００２２】
時計ガラス４の下方（図２の下側）であって時計ガラス４とハウジング３との間には、ほぼ円形の薄板状に形成された表示部材としての文字板８が配置されている。文字板８の表面(視認側：図２の上側)の周縁部は、時字部９となっており、時字部９には、時字９ａが、円周方向にほぼ等間隔で１２箇所に刻印、印刷等により設けられている。
【００２３】
文字板８のほぼ中央部には図示しない軸孔が形成されており、軸孔には、時計モジュールの運針機構に設けられた指針軸１０が文字板８の裏面側（図２の下側）から時計ガラス４の方向（図２の上側）に向けて貫通している。指針軸１０には、時針や分針等の指針１１が取り付けられている。指針１１は、上述の運針機構によって文字板８の上方で運針するようになっており、この指針１１により文字板８上の時字９ａが指示されることによって、現在の時刻を知ることができるようになっている。
【００２４】
また、図２に示すように、時計ガラス４と文字板８との間には文字板８の周縁部に沿って見切り部材１２が配設されている。
【００２５】
時計ケース２内に収納されるハウジング３は、例えば樹脂等で形成されており、ハウジング３には、例えば、指針１１を文字板８上で運針させるための運針機構（図示せず）等を動作させるための各種電子部品等で構成されている時計モジュール（図示せず）が収納されている。
【００２６】
図３は、本実施形態におけるハウジング３を視認側と反対の側（図２の下側）から見た図であり、図４は、図３に示すハウジングの要部構成を示す斜視図であり、図５は、図４からアンテナ構造体２０を取り除いた状態を示した斜視図である。
【００２７】
図３から図５に示すように、ハウジング３の内側には、アンテナ構造体２０の一部が収納される収納スペース１５が形成されている。収納スペース１５は、ハウジング３の一方側から他方側に貫通する貫通孔となっている。なお、本実施形態では、収納スペース１５は、図１に示すように、ハウジング３の内側であってハウジング３を時計ケース２内に収納したときに１２時側に配置される位置に配置されているが、収納スペース１５が設けられる位置はこれに限定されない。
また、ハウジング３の視認側（図２の上側）の面上のほぼ中央には、運針機構を構成する複数の歯車１６が設けられており、歯車１６は板状の押え部材としての歯車押え板１７によってハウジング３の表面に固定されている。
【００２８】
時計ケース２内であってハウジング３よりも下方（図２の下側）には、時計モジュールを構成する電子部品が接続されるとともに各種回路を有するＩＣチップが実装される回路基板ＫＫが配置されている。
ＩＣチップが有する回路要素としては、例えば、電波腕時計１００の各部を制御するＣＰＵ等の制御ＩＣ、後述するアンテナ構造体２０によって検出された電気信号を増幅・復調して標準電波に含まれる時刻データを取り出す受信回路部、発振器を有して現在時刻を計時する計時回路等（いずれも図示せず）等がある。
【００２９】
ここで、図６を参照しつつ、本実施形態におけるアンテナ構造体２０について詳細に説明する。
【００３０】
図６に示すように、本実施形態において、アンテナ構造体２０は、コア本体部２１と、連結部２２と、集磁部２３と、を備えて構成されている。
【００３１】
本実施形態において、コア本体部２１の基台部２５、連結部２２及び集磁部２３は、比透磁率が高く導電率が小さい磁性材料からなる磁性粉と樹脂とを混合した材料により、一体的に形成されている。磁性粉の材料となる磁性材料としては、例えばフェライト等を適用することができるが、適用可能な材料はこれに限定されない。
【００３２】
コア本体部２１は、基台部２５と巻線部２６とから構成されている。基台部２５のほぼ中央部は、コイル２７が巻回される幅狭の直状部（図示せず）となっており、この直状部にコイル２７を巻回することにより巻線部２６が形成される。
【００３３】
基台部２５の両端部は、直状部に比べて基台部２５の幅方向に大きく延出する形状に形成されている。基台部２５の両端部には、それぞれ連結部２２が立設されている。連結部２２は、時計ガラス４の設けられている方向（図２の上側）に向かって起立する柱状の部材である。
【００３４】
図４及び図５に示すように、本実施形態においては、ハウジング３の収納スペース１５は、コア本体部２１及び連結部２２の形状に沿った形状に形成されており、コア本体部２１及び連結部２２は、組み付け時においてこの収納スペース１５内に配置、収納される。
そして、コイル２７の端部は、貫通孔となっている収納スペース１５から露出して、回路基板ＫＫの接続端子に電気的に接続されるようになっている。
【００３５】
各連結部２２には、ハウジング３の外周に沿う形状に形成された薄板状の集磁部２３が連結されている。集磁部２３は、外部からの磁束を集めてこれを巻線部２６に導くものである。なお、集磁部２３の形状、大きさ、厚み等は図示例に限定されず、より幅広の形状としてもよいし、より長尺な形状としてもよい。
【００３６】
図４に示すように、集磁部２３は、アンテナ構造体２０を組み付けた状態において、ハウジング３における歯車押え板１７が配置されているのと同一の面（図２及び図４における上側の面）上に歯車押え板１７を間に挟んでほぼ対称となる位置に配置されている。
なお、本実施形態では集磁部２３の全部が歯車押え板１７が配置されているのと同一の面上に配置されているが、集磁部２３の一部がハウジング３の収納スペース１５内に収納される等、集磁部２３の一部のみが歯車押え板１７が配置されているのと同一の面上に配置されている構成としてもよい。また、集磁部２３は、接着剤等によりハウジング３の上面に固定されていてもよい。
【００３７】
なお、集磁部２３の厚みは、歯車押え板１７の厚みと同じかそれよりも薄くなっている。このように、集磁部２３の厚みを、歯車押え板１７の厚みと同じかそれよりも薄くすることによって、集磁部２３を設けてもハウジング３の上面にもとから存在する段差の範囲内に収めることができ、集磁部２３を設けたことによるハウジング３の厚みの増加が生じない。
【００３８】
次に、本実施形態の作用について説明する。
【００３９】
まず、アンテナ構造体２０を上方からハウジング３に組み付ける。具体的には、コア本体部２１と連結部２２とをハウジング３の収納スペース１５に収納し、一対の集磁部２３がハウジング３の上面に歯車押え板１７を間に挟んで配置されるように位置を調整する。そして、収納スペース１５の下方からコイル２７を露出させ、コイル２７の端部を回路基板ＫＫの接続端子に接続する。これにより回路基板ＫＫ上の受信回路部とアンテナ構造体２０とが接続される。
アンテナ構造体２０を組み付けたハウジング３を、時計ガラス４及び文字板８を取り付けた時計ケース２に収納し、時計ケース２の裏面側から裏蓋５を取り付ける。
【００４０】
そして、電波受信時には、集磁部２３及びコア本体部２１の基台部２５により標準電波の磁束を集め、集めた標準電波の磁束が、巻線部２６中を通過する。その磁束の通過によって巻線部２６に誘導起電力が生じ、この誘導起電力を検出することにより標準電波を受信する。標準電波を受信すると、受信された電波が接続端子を介して回路基板ＫＫ上の受信回路部に送られ、この電波に基づいて時刻情報が取得され、電波腕時計１００の現在時刻データが修正される。
【００４１】
以上のように、本実施形態によれば、ハウジング３の上面に磁束を集める集磁部２３を配置しているので、集磁部２３の分だけアンテナ構造体２０のアンテナ長を伸ばすことができる。これにより、アンテナ構造体２０を狭いスペースに収めなければならない場合のように、コア本体部２１を大きくすることができない場合でも、効率的に電波を捕らえることができ、装置全体の小型化を実現しつつ、受信感度の向上を図ることができる。
【００４２】
また、コア本体部２１の基台部２５、連結部２２及び集磁部２３が一体的に形成されているので、部品点数を少なくすることができ、部品管理上好ましい。また、組み立て工数を減らして簡易に組み立てを行うことができるため、生産性を向上させることができる。
そして、コア本体部２１の基台部２５、連結部２２及び集磁部２３が磁性材料からなる磁性粉と樹脂とを混合した材料で形成されているため、一体形成が容易であり、強度を保つこともできる。
【００４３】
さらに、本実施形態では、ハウジング３の上面に歯車押え板１７が配置され、この歯車押え板１７によってハウジング３の上面にもともと段差が生じており、集磁部２３は、この歯車押え板１７を真ん中に挟んで配置されている。しかも集磁部２３は歯車押え板１７の厚みと同じかこれよりも薄いものとなっているので、歯車押え板１７によって生じた段差の範囲内に集磁部２３を配置することができる。このため、集磁部２３を配置しても新たにハウジング３の厚みが増すことがなく、装置全体の小型化・薄型化を実現しながら受信感度を向上させることができる。
【００４４】
なお、本実施形態では、図４に示すように、ハウジング３の上面に歯車押え板１７を配置し、集磁部２３をこの歯車押え板１７の厚みと同じかそれよりも薄く形成することにより、ハウジング３の上面にもともと存するスペースを集磁部２３の配置空間として利用し、集磁分２３を配置することによるハウジング３の厚みの増加をなくすように構成したが、ハウジング３の厚みの増加をなくす手法はこれに限定されない。例えば、ハウジング３の上面を一部削ることにより集磁部２３を配置する空間を確保してもよい。
【００４５】
なお、本発明が上記実施の形態に限らず適宜変更可能であるのは勿論である。
【００４６】
［第２の実施形態］
次に、図７及び図８を参照しつつ、本発明に係る電波受信装置の第２の実施形態について説明する。なお、第２の実施形態は、集磁部の配置の仕方のみが第１の実施形態と異なるものであるため、以下においては、特に第１の実施形態と異なる部分について説明する。
【００４７】
図７は、本実施形態におけるアンテナ構造体の配置を文字板との関係において示した平面図であり、図８は、本実施形態における電波受信装置を組み込んだ電波腕時計の要部断面図であり、図９は図８において一点鎖線で囲まれた部分の拡大図である。
本実施形態において、アンテナ構造体３０は、第１の実施形態と同様に、基台部３１ａとコイル３１ｂを巻回してなる巻線部３１ｃとからなるコア本体部３１、連結部３２及び集磁部３３とを備えており、基台部３１ａ、連結部３２及び集磁部３３は磁性材料からなる磁性粉と樹脂とを混合した材料により一体に形成されている。
【００４８】
図９に示すように、本実施形態において、文字板３５には、時計ガラス４と対向する面と反対の面（図８の下側の面）であって、組み付け状態においてアンテナ構造体３０の集磁部３３に対応する位置に、集磁部３３の形状に沿って凹部３６が形成されており、集磁部３３は、この凹部３６内に配置されるようになっている。なお、集磁部３３は、接着剤等により凹部３６内に固定されていることが好ましい。また、集磁部３３の全部が凹部３６内に配置される構成に限定されず、集磁部３３の一部が凹部３６内に配置される構成としてもよい。
なお、凹部３６の深さは図示例に限定されず、例えば、集磁部３３を凹部３６に収納した際に文字板３５の裏面（図８の下側の面）と集磁部３３とが面一になるようにしてもよい。
【００４９】
なお、その他の構成は、第１の実施形態で説明したものと同様であることから、同一部材には同一の符号を付して、その説明を省略する。
【００５０】
次に、本実施形態の作用について説明する。
【００５１】
まず、アンテナ構造体３０を上方からハウジング３に組み付ける。具体的には、一対の集磁部３３がハウジング３の上面に露出するようにしてコア本体部３１と連結部３２とをハウジング３の収納スペース１５に収納する。そして、収納スペース１５の下方からコイル３１ｂを露出させ、コイル３１ｂの端部を回路基板ＫＫの接続端子に接続する。これにより回路基板ＫＫ上の受信回路部とアンテナ構造体３０とが接続される。
アンテナ構造体３０を組み付けたハウジング３を、時計ガラス４及び文字板３５を取り付けた時計ケース２に収納する。その際、集磁部３３が文字板３５の裏面に形成された凹部３６内に収納されるように集磁部３３の位置と文字板３５の位置とを調整する。位置調整が完了すると、時計ケース２の裏面側から裏蓋５を取り付ける。
【００５２】
そして、電波受信時には、集磁部３３及びコア本体部３１の基台部３１ａにより標準電波の磁束を集め、集めた標準電波の磁束が、巻線部３１ｃ中を通過する。その磁束の通過によって巻線部３１ｃに誘導起電力が生じ、この誘導起電力を検出することにより標準電波を受信する。標準電波を受信すると、受信された電波が接続端子を介して回路基板ＫＫ上の受信回路部に送られ、この電波に基づいて時刻情報が取得され、電波腕時計の現在時刻データが修正される。
【００５３】
以上のように、本実施形態によれば、ハウジング３の上面に磁束を集める集磁部３３を配置しているので、集磁部３３の分だけアンテナ構造体３０のアンテナ長を伸ばすことができる。これにより、アンテナ構造体３０を狭いスペースに収めなければならない場合のように、コア本体部３１を大きくすることができない場合でも、効率的に電波を捕らえることができ、装置全体の小型化を実現しつつ、受信感度の向上を図ることができる。
【００５４】
また、コア本体部３１の基台部３１ａ、連結部３２及び集磁部３３が一体に形成されているので、部品点数を少なくすることができ、部品管理上好ましい。また、組み立て工数を減らして簡易に組み立てを行うことができるため、生産性を向上させることができる。
そして、コア本体部３１の基台部３１ａ、連結部３２及び集磁部３３が磁性材料からなる磁性粉と樹脂とを混合した材料で形成されているため、一体形成が容易であり、強度を保つこともできる。
【００５５】
さらに、本実施形態では、集磁部３３が文字板３５の裏面に形成された凹部３６内に収納されるので、第１の実施形態のようにハウジング３の上面に段差がある場合でなくても、集磁部３３を設けることによる装置全体の厚みの増加が生じない。このため、装置全体の小型化・薄型化を実現しながら受信感度を向上させることができる。
【００５６】
また、集磁部３３が文字板３５の裏面に配置されることにより、集磁部３３を時計ガラス４により近づけることができ、受信感度の一層の向上が期待できる。
【００５７】
なお、本発明が実施形態の範囲に限定されないことは第１の実施形態と同様である。
【００５８】
［第３の実施形態］
次に、図１０から図１３を参照しつつ、本発明にかかる電波受信装置の第３の実施形態について説明する。なお、第３の実施形態は、アンテナ構造体の形状及び配置の仕方のみが第１の実施形態及び第２の実施形態と異なるものであるため、以下においては、特に第１の実施形態及び第２の実施形態と異なる部分について説明する。
【００５９】
図１０は、本実施形態におけるアンテナ構造体の配置を文字板との関係において示した平面図であり、図１１は、本実施形態における文字板の形状を示したものである。また、図１２は、本実施形態における電波受信装置を組み込んだ電波腕時計の要部断面図であり、図１３は図１２において一点鎖線で囲まれた部分の拡大図である。
本実施形態において、アンテナ構造体４０は、第１の実施形態及び第２の実施形態と同様に、基台部４１ａとコイル４１ｂを巻回してなる巻線部４１ｃとからなるコア本体部４１、連結部４２及び集磁部４３とを備えており、基台部４１ａ、連結部４２及び集磁部４３は磁性材料からなる磁性粉と樹脂とを混合した材料により一体的に形成されている。
【００６０】
図１１に示すように、本実施形態において、文字板４５には、組み付け状態においてアンテナ構造体４０の集磁部４３に対応する位置に、集磁部４３の形状に沿って切欠き部４６が形成されている。切欠き部４６は文字板４５の厚み方向に貫通する貫通孔となっており、集磁部４３は、この切欠き部４６内に収納されるとともに、この切欠き部４６から時計ガラス４に対して露出している。
【００６１】
図１２に示すように、時計ガラス４と文字板４５との間には、文字板４５の周縁部に沿って見切り部材４７が配置されており、切欠き部４６から露出した集磁部４３は見切り部材４７の裏面位置に配置されている(図１２及び図１３参照)。これにより、集磁部４３は時計ガラス４側から視認できないようになっており、本実施形態では見切り部材４７が切欠き部４６から露出した集磁部４３を遮蔽する遮蔽部材として機能する。
なお、集磁部４３は、接着剤等により見切り部材４７の裏面に固定されていてもよい。また、本実施形態では、集磁部４３が見切り部材４７と接触する程度まで切欠き部４６の内部に挿入されているが、集磁部４３の位置は図示例に限定されず、切欠き部４６の途中まで挿入されるようにしてもよい。
【００６２】
なお、その他の構成は、第１の実施形態及び第２の実施形態で説明したものと同様であることから、同一部材には同一の符号を付して、その説明を省略する。
【００６３】
次に、本実施形態の作用について説明する。
【００６４】
まず、アンテナ構造体４０を上方からハウジング３に組み付ける。具体的には、一対の集磁部４３がハウジング３の上面に露出するようにしてコア本体部４１と連結部４２とをハウジング３の収納スペースに収納する。そして、収納スペースの下方からコイル４１ｂを露出させ、コイル４１ｂの端部を回路基板ＫＫの接続端子に接続する。これにより回路基板ＫＫ上の受信回路部とアンテナ構造体４０とが接続される。
アンテナ構造体４０をハウジング４に組み付けると、その上に文字板４５を配置する。その際、文字板４５の切欠き部４６内に集磁部４３が収納されるように、集磁部４３の位置と文字板４５の位置とを調整する。位置調整が完了すると、文字板４５の上に文字板４５の周縁部に沿って見切り部材４７を配置する。これにより文字板４５の切欠き部４６から露出していた集磁部４３が見切り部材４７によって視認側から見えないように遮蔽される。見切り部材４７の取り付けが完了すると、ハウジング３、アンテナ構造体４０、文字板４５及び見切り部材４７を時計ケース２に収納し、時計ケース２の裏面側から裏蓋５を取り付ける。
【００６５】
そして、電波受信時には、集磁部４３及びコア本体部４１の基台部４１ａにより標準電波の磁束を集め、集めた標準電波の磁束が、巻線部４１ｃ中を通過する。その磁束の通過によって巻線部４１ｃに誘導起電力が生じ、この誘導起電力を検出することにより標準電波を受信する。標準電波を受信すると、受信された電波が接続端子を介して回路基板ＫＫ上の受信回路部に送られ、この電波に基づいて時刻情報が取得され、電波腕時計の現在時刻データが修正される。
【００６６】
以上のように、本実施形態によれば、磁束を集める集磁部４３を設けているので、集磁部４３の分だけアンテナ構造体４０のアンテナ長を伸ばすことができる。これにより、アンテナ構造体４０を狭いスペースに収めなければならない場合のように、コア本体部４１を大きくすることができない場合でも、効率的に電波を捕らえることができ、装置全体の小型化を実現しつつ、受信感度の向上を図ることができる。
【００６７】
また、コア本体部４１の基台部４１ａ、連結部４２及び集磁部４３が一体的に形成されているので、部品点数を少なくすることができ、部品管理上好ましい。また、組み立て工数を減らして簡易に組み立てを行うことができるため、生産性を向上させることができる。
そして、コア本体部４１の基台部４１ａ、連結部４２及び集磁部４３が磁性材料からなる磁性粉と樹脂とを混合した材料で形成されているため、一体形成が容易であり、強度を保つこともできる。
【００６８】
さらに、本実施形態では、集磁部４３を文字板４５の切欠き部４６から露出するように配置しているので、集磁部４３を電波の入りやすい時計ガラス４により近づけることができる。このため、受信感度の一層の向上が期待できる。
【００６９】
また、集磁部４３に対応する位置に見切り部材４７が配置されるので、集磁部４３が文字板４５の切欠き部４６から露出していても、これを視認側から視認することはできず、時計の外観を損なうことがない。
【００７０】
なお、本発明が実施形態の範囲に限定されないことは第１の実施形態及び第２の実施形態と同様である。
【００７１】
［第４の実施形態］
次に、図１４及び図１５を参照しつつ、本発明にかかる電波受信装置の第４の実施形態について説明する。なお、第４の実施形態は、アンテナ構造体の形状及び配置の仕方のみが第１の実施形態から第３の実施形態と異なるものであるため、以下においては、特に第１の実施形態から第３の実施形態と異なる部分について説明する。
【００７２】
図１４は、本実施形態における電波受信装置を組み込んだ電波腕時計の要部断面図であり、図１５は図１４において一点鎖線で囲まれた部分の拡大図である。
本実施形態において、アンテナ構造体は、第１の実施形態から第３の実施形態と同様に、基台部とコイルを巻回してなる巻線部とからなるコア本体部の基台部、連結部５２及び集磁部５３とを備えており、これらは磁性材料からなる磁性粉と樹脂とを混合した材料により一体的に形成されている。
【００７３】
本実施形態において、文字板５５には、第３の実施形態と同様に、組み付け状態においてアンテナ構造体の集磁部５３に対応する位置に、集磁部５３の形状に沿って切欠き部５６が形成されている。切欠き部５６は文字板５５の厚み方向に貫通する貫通孔となっており、集磁部５３は、この切欠き部５６内に収納されるとともに、その先端部が切欠き部５６を貫通している。
【００７４】
また、図１４及び図１５に示すように、時計ガラス４と文字板５５との間には、文字板５５の周縁部に沿って見切り部材５７が配置されている。
本実施形態において、見切り部材５７には、文字板５５の切欠き部５６に対応する位置に、切欠き部５６とほぼ同じ形状の切欠き部５８が形成されている。切欠き部５８は、文字板５５の切欠き部５６と同様に、見切り部材５７の厚み方向に貫通する貫通孔となっている。
集磁部５３は、前述のように文字板５５の切欠き部５６を貫通するとともに、見切り部材５７の切欠き部５８内に収納され、この切欠き部５８から時計ガラス４に対して露出している。
【００７５】
また、本実施形態において、時計ガラス４には、文字板５５と対向する面（図１４の下側）であって切欠き部５８から露出した集磁部５３に対応する位置に、集磁遮蔽部５９が設けられている。集磁遮蔽部５９は、集磁部５３が外部から視認できないように遮蔽する遮蔽部材であり、例えば、印刷、蒸着等の手法により時計ガラス４の裏面側に時計ガラス４の周縁部に沿って枠飾り等の装飾を施したものである。
組み付け状態において、集磁部５３は集磁遮蔽部５９に対向する位置に配置されているようになっており(図１４及び図１５参照)。これにより、集磁部５３は時計ガラス４側から視認できないように遮蔽される。
なお、集磁部５３は、本実施形態では、集磁部５３が見切り部材５７の上面と面一となる程度まで切欠き部５８の内部に挿入されているが、集磁部５３の位置は図示例に限定されず、切欠き部５８の途中まで挿入されるようにしてもよい。
【００７６】
なお、その他の構成は、第１の実施形態から第３の実施形態で説明したものと同様であることから、同一部材には同一の符号を付して、その説明を省略する。
【００７７】
次に、本実施形態の作用について説明する。
【００７８】
まず、アンテナ構造体を上方からハウジング３に組み付ける。具体的には、一対の集磁部５３がハウジング３の上面に露出するようにしてコア本体部と連結部５２とをハウジング３の収納スペースに収納する。そして、収納スペースの下方からコイルを露出させ、コイルの端部を回路基板ＫＫの接続端子に接続する。これにより回路基板ＫＫ上の受信回路部とアンテナ構造体とが接続される。
アンテナ構造体をハウジング３に組み付けると、その上に文字板５５を配置する。その際、集磁部５３が文字板５５の切欠き部５６を貫通して時計ガラス４の側に露出するように、集磁部５３の位置と文字板５５の位置とを調整する。位置調整が完了すると、文字板５５の上に文字板５５の周縁部に沿って見切り部材５７を配置する。その際、見切り部材５７の切欠き部５８内に集磁部５３が収納されるように、集磁部５３の位置と見切り部材５７の位置とを調整する。見切り部材５７の取り付けが完了すると、ハウジング３、アンテナ構造体５０、文字板５５及び見切り部材５７を時計ケース２に収納する。これにより、見切り部材５７の切欠き部５８から露出していた集磁部５３に対応する位置に集磁遮蔽部５９が配置され、集磁部５３が視認側から見えないように遮蔽される。すべての部材を収納した後、時計ケース２の裏面側から裏蓋５を取り付ける。
【００７９】
そして、電波受信時には、集磁部５３及びコア本体部の基台部により標準電波の磁束を集め、集めた標準電波の磁束が、巻線部中を通過する。その磁束の通過によって巻線部に誘導起電力が生じ、この誘導起電力を検出することにより標準電波を受信する。標準電波を受信すると、受信された電波が接続端子を介して回路基板ＫＫ上の受信回路部に送られ、この電波に基づいて時刻情報が取得され、電波腕時計の現在時刻データが修正される。
【００８０】
以上のように、本実施形態によれば、磁束を集める集磁部５３を設けているので、集磁部５３の分だけアンテナ構造体のアンテナ長を伸ばすことができる。これにより、アンテナ構造体を狭いスペースに収めなければならない場合のように、コア本体部を大きくすることができない場合でも、効率的に電波を捕らえることができ、装置全体の小型化を実現しつつ、受信感度の向上を図ることができる。
【００８１】
また、コア本体部の基台部、連結部５２及び集磁部５３が一体的に形成されているので、部品点数を少なくすることができ、部品管理上好ましい。また、組み立て工数を減らして簡易に組み立てを行うことができるため、生産性を向上させることができる。
そして、コア本体部の基台部、連結部５２及び集磁部５３が磁性材料からなる磁性粉と樹脂とを混合した材料で形成されているため、一体形成が容易であり、強度を保つこともできる。
【００８２】
さらに、本実施形態では、集磁部５３を見切り部材５７の切欠き部５８から露出するように配置しているので、集磁部５３を電波の入りやすい時計ガラス４により近づけることができる。このため、受信感度の一層の向上が期待できる。
【００８３】
また、集磁部５３が文字板５５よりも上（時計ガラス４側）に露出しているため、文字板５５が金属等、電波を遮蔽する材料で形成されているような場合でも、効果的に磁束を集めることができ、受信感度を向上させることができる。
【００８４】
また、時計ガラス４に集磁遮蔽部５９が設けられているので、集磁部５３を見切り部材５７の切欠き部５８から露出していても、これを視認側から視認することはできず、時計の外観を損なうことがない。
【００８５】
なお、本実施形態では、集磁遮蔽部５９を、集磁部５３が露出していない部分も含めて、時計ガラス４周縁部を取り巻くように設ける例を示したが、集磁遮蔽部５９を設ける位置はこれに限定されない。例えば、集磁部５３に対応する位置のみに部分的に集磁遮蔽部５９を設けてもよい。なお、このように集磁遮蔽部５９を部分的に設ける場合には、時計ガラス４を時計ケース２に取り付ける際に、集磁遮蔽部５９が集磁部５３に対応する位置にくるように位置調整を行う。
【００８６】
なお、本発明が上記各実施形態の範囲に限定されないことは勿論である。
【００８７】
例えば、上記の各実施形態では、アンテナ構造体を磁性粉と樹脂とを混合した材料により形成する場合を例としているが、アンテナ構造体を形成する材料はこれに限定されない。例えば、アンテナ構造体をフェライトや、アモルファス金属等の比透磁率が高く、導電率が小さい磁性材料により一体的に形成してもよい。この場合には、材料に樹脂を混合した場合よりもより高い集磁効果を期待することができる。なお、このように磁性材料により一体的に形成した場合には、例えば樹脂製のケース等にコア本体部等を収納することにより、強度を確保することが好ましい。
【００８８】
また、上記の各実施形態では、電波受信装置を適用する電波腕時計として時字を設けた文字板と指針を備えるアナログ式の電波腕時計を例としたが、液晶パネルを備えるデジタル式の電波腕時計に適用することも可能である。
また、電波受信装置を、ソーラーパネル等を備える電波腕時計に適用してもよい。
【００８９】
また、上記実施形態では、電波受信装置を電波腕時計に適用した場合について例示したが、電波受信装置を適用可能な電子機器はこれに限られるものではなく、アンテナ構造体により電波を受信する構成のものであれば如何なるものであってもよい。例えば、固定式の電波時計であってもよいし、小型ラジオ等であってもよい。
【００９０】
また、ハウジング等を形成する合成樹脂としては、例えば、エポキシ樹脂、フェノール樹脂、メラミン樹脂、ユリア樹脂、不飽和ポリエステル樹脂、ポリイミド樹脂、フラン樹脂、ポリブタジエン樹脂、アイオノマー樹脂、EEA 樹脂、AAS 樹脂（ASA 樹脂）、AS樹脂、ACS 樹脂、エチレン酢ビコポリマー、エチレンビニルアルコール共重合樹脂、ABS 樹脂、塩化ビニル樹脂、塩素化ポリエチレン樹脂、酢酸繊維素樹脂、フッ素樹脂、ポリアセタール樹脂、ポリアミド樹脂6,66、ポリアミド樹脂11,12 、ポリアリレート樹脂、熱可塑性ポリウレタンエラストマー、液晶ポリマー、ポリエーテルエーテルケトン、ポリサルフォン樹脂、ポリエーテルサルフォン樹脂、高密度ポリエチレン、低密度ポリエチレン、直鎖状低密度ポリエチレン、ポリエチレンテレフタレート、ポリカーボネート樹脂、ポリスチレン樹脂、ポリフェニレンエーテル樹脂、ポリフェニレンサルファイド樹脂、ポリブタジエン樹脂、ポリプロピレン樹脂、ポリプロピレン樹脂、メタクリル樹脂、メチルペンテンポリマー等の樹脂等を用いても良く、これらの中でも耐熱性、寸法安定性、強度等の点からフェノール樹脂、エポキシ樹脂等が好ましい。
【図面の簡単な説明】
【００９１】
【図１】本発明にかかる電波受信装置の第１の実施形態を適用した電波腕時計を示す正面図である。
【図２】図１の電波腕時計のII−II線断面図である。
【図３】図１のハウジングを裏面側から見た状態を示す平面図である。
【図４】図１のハウジングの要部構成を模式的に示した斜視図である。
【図５】図４に示すハウジングからアンテナ構造体を外した状態を示す斜視図である。
【図６】第１の実施形態におけるアンテナ構造体を示す斜視図である。
【図７】第２の実施形態におけるアンテナ構造体の配置例を示す文字板の平面図である。
【図８】第２の実施形態における電波受信装置の要部構成を示す要部断面図である。
【図９】図８において一点鎖線で示した部分を拡大した拡大図である。
【図１０】第３の実施形態におけるアンテナ構造体の配置例を示す文字板の平面図である。
【図１１】図１０に示す文字板の斜視図である。
【図１２】第３の実施形態における電波受信装置の要部構成を示す要部断面図である。
【図１３】図１２において一点鎖線で示した部分を拡大した拡大図である。
【図１４】第４の実施形態における電波受信装置の要部構成を示す要部断面図である。
【図１５】図１４において一点鎖線で示した部分を拡大した拡大図である。
【符号の説明】
【００９２】
２      時計ケース
３      ハウジング
４      時計ガラス
８      文字板
１２      見切り部材
１５      収納スペース
１６      歯車
１７      歯車押え板
２０      アンテナ構造体
２１      コア本体部
２２      連結部
２３      集磁部
２５      基台部
２６      巻線部
２７      コイル
１００      電波腕時計
【図１】
2010066044.tif 000003
【図２】
2010066044.tif 000004
【図３】
2010066044.tif 000005
【図４】
2010066044.tif 000006
【図５】
2010066044.tif 000007
【図６】
2010066044.tif 000008
【図７】
2010066044.tif 000009
【図８】
2010066044.tif 000010
【図９】
2010066044.tif 000011
【図１０】
2010066044.tif 000012
【図１１】
2010066044.tif 000013
【図１２】
2010066044.tif 000014
【図１３】
2010066044.tif 000015
【図１４】
2010066044.tif 000016
【図１５】
2010066044.tif 000017